(57)【要約】【課題】拡張ボードのＥＭＩ対策を効果的に行いながら、背面パネルの塗装工程を容易化し、かつケースの外観を良好にする。【解決手段】ミキサー装置１のケース１０の背面パネル３３に拡張ボード６０を取り付ける取付構造であって、背面パネル３３に形成した開口部３８と、背面パネル３３の内面３３ｂに取り付けたサブパネル４１と、サブパネル４１に設けた貫通孔からなる基板挿入部４２とを備え、拡張ボード６０の基板本体６１を基板挿入部４２に挿入し、取付板６５を開口部３８に露出するサブパネル４１の電気的導通部４４に接触させて固定するように構成した。電気的導通部４４をサブパネル４１に設けたことで、背面パネル３３の塗装時のマスキングが不要となり、塗装工程を容易化できる。また、無塗装の電気的導通部４４が背面パネル３３より一段窪んだ奥側に配置されるので、ケース１０の外観が良好になる。【選択図】図２
2010186948.tif 000002
【特許請求の範囲】
【請求項１】
電気部品を内蔵したケースのパネル板に機能拡張用の基板部材を取り付ける電気機器への基板部材の取付構造であって、
前記基板部材は、前記パネル板に取り付けられる取付板と、前記取付板の内面側に設置された基板本体と、該基板本体の一部に設けられ前記ケース内の電気部品に接続される接続端子部と、を備えてなり、
前記ケースには、前記パネル板に形成した開口部と、該開口部に対応して前記パネル板の内面に取り付けたサブパネルと、該サブパネルに設けた貫通孔からなる基板挿入部と、該基板挿入部の周囲の外面に形成した電気的導通部と、が設けられており、
前記基板部材の前記基板本体を前記サブパネルの前記基板挿入部に挿入し、前記接続端子部を前記ケース内の電気部品に接続すると共に、前記取付板を前記開口部に露出する前記サブパネルの前記電気的導通部に接触させて固定するように構成した
ことを特徴とする電気機器への基板部材の取付構造。
【請求項２】
前記サブパネルに設けた前記基板挿入部は、複数個が互いに隣接して配置されており、
該サブパネルの外面における前記一の基板挿入部と他の基板挿入部との間の部分には、装飾が施された装飾面が設けられており、前記サブパネルの外面における前記装飾面以外の部分は、無装飾の前記電気的導通部になっている
ことを特徴とする請求項１に記載の電気機器への基板部材の取付構造。
【請求項３】
前記サブパネルの外面は、前記パネル板の外面に対し、前記開口部内で該パネル板の厚み分窪んだ位置に配されており、前記サブパネルに固定した前記取付板の外面と前記パネル板の外面とが連続する一平面上に配置される
ことを特徴とする請求項１又は２に記載の電気機器への基板部材の取付構造。
【請求項４】
前記ケースの内部には、前記基板挿入部に挿入された前記基板本体を収容する基板収容部が設けられており、
該基板収容部は、導電性のシールド部材で形成された枠体を備えてなる
ことを特徴とする請求項１乃至３のいずれかに記載の電気機器への基板部材の取付構造。
【請求項５】
前記基板収容部が備える前記枠体には、該枠体に収容される前記基板本体をガイドするためのガイド部が形成されている
ことを特徴とする請求項４に記載の電気機器への基板部材の取付構造。
【請求項６】
前記ガイド部は、前記基板本体の縁部をガイドする構成であり、
前記ガイド部と前記基板本体の縁部との接触箇所を介して前記基板収容部と前記基板部材との電気的導通が確保されている
ことを特徴とする請求項５に記載の電気機器への基板部材の取付構造。
【発明の詳細な説明】
【技術分野】
【０００１】
本発明は、電気部品を内蔵したケースのパネル板に機能拡張用の基板部材を取り付ける電気機器への基板部材の取付構造に関する。
【背景技術】
【０００２】
従来、例えば、特許文献１に示すミキサー装置（音響調節機器）のような電気機器がある。この種の電気機器には、機能拡張用の付属部品として、カード状の基板本体と該基板本体の一端に設けた平板状の取付板とを備えてなる基板部材（いわゆる拡張ボード）が用意されている。そして、音響調節機器などの電気機器には、該電気機器の外観の一部をなすケースのリアパネルなどのパネル板に、拡張ボードの基板本体を挿入するための開口部が形成されている。このような拡張ボードの電気機器への取り付けは、リアパネルの開口部に拡張ボードの基板本体を差し込み、開口部の周囲の外面に取付板を重ね合わせ、その状態で、リアパネルに対して取付板をビスなどの締結具で固定することで行われる。
【特許文献１】特許第３８１８２４８号公報
【発明の開示】
【発明が解決しようとする課題】
【０００３】
ところで、上記のような拡張ボードの取付構造では、電気機器の外観の一部をなすリアパネルの表面には、装飾用の塗装が施されているが、リアパネルの塗装を行う際、開口部の周囲における取付パネルの外形よりも一回り小さい範囲をマスキングして塗装を施すことで、開口部の周囲に無塗装の部分を形成していた。そして、該無塗装の部分で拡張ボードの取付パネルとリアパネルとの電気的導通を確保するようにして、拡張ボードのＥＭＩ（Electro Magnetic Interference：電磁干渉）対策を行っていた。
【０００４】
しかしながら、従来の拡張ボードの取付構造は、電気機器の外観の一部をなすリアパネルに直接、拡張ボードの取付パネルを密着固定する構造であるため、リアパネルのマスキング部分の外縁が取付パネルの外形からはみ出すと、無塗装の部分がケースの外観に現れてしまい、電気機器の見栄えが悪くなる。そのため、リアパネルの塗装工程において、取付パネルの外形よりも一回り小さい範囲を正確にマスキングしなければならず、塗装に高い精度が要求されるため、電気機器の製造に手間や時間が掛かるという問題があった。
【０００５】
本発明は上述の点に鑑みてなされたもので、その目的は、電気機器のケースが備えるリアパネルなどのパネル板と該パネル板に取り付ける機能拡張用の基板部材との間に安定した電気的導通を確保しながらも、パネル板の塗装工程の容易化が図れ、かつ、ケースの外観を良好にできる電気機器への基板部材の取付構造を提供することにある。
【課題を解決するための手段】
【０００６】
上記課題を解決するための本発明は、電気部品を内蔵したケース（１０）のパネル板（３３）に機能拡張用の基板部材（６０）を取り付ける電気機器への基板部材の取付構造であって、基板部材（６０）は、パネル板（３３）の外面（３３ａ）に取り付けられる取付板（６５）と、取付板（６５）の内面（６５ｂ）側に設置された基板本体（６１）と、該基板本体（６１）の一部に設けられケース（１０）内の電気部品（５４）に接続される接続端子部（６２）とを備えてなり、ケース（１０）には、パネル板（３３）に形成した開口部（３８）と、該開口部（３８）に対応してパネル板（３３）の内面（３３ｂ）に取り付けたサブパネル（４１）と、該サブパネル（４１）に設けた貫通孔からなる基板挿入部（４２）と、該基板挿入部（４２）の周囲の外面（４１ａ）に形成した電気的導通部（４４）とが設けられており、基板部材（６０）の基板本体（６１）をサブパネル（４１）の基板挿入部（４２）に挿入し、接続端子部（６２）をケース（１０）内の電気部品（５４）に接続すると共に、取付板（６５）を開口部（３８）に露出するサブパネル（４１）の電気的導通部（４４）に接触させて固定するように構成したことを特徴とする。
【０００７】
本発明にかかる電気機器への基板部材の取付構造によれば、ケースのパネル板とは別体のサブパネルによって、ケースと基板部材との電気的導通を確保することができる。したがって、従来のようにパネル板に無塗装の部分を設ける必要が無くなるので、パネル板の塗装において、マスキングせずにその全体に塗装を施すことが可能となる。したがって、パネル板の塗装において高い精度を要求されずに済むので、塗装工程の容易化を図ることができる。また、従来の基板部材の取付構造のようにパネル板の無塗装部分が取付板の外形からはみ出すことが無くなるので、電気機器の外観を良好にできる。したがって、電気機器のケースが備えるパネル板と該パネル板に取り付ける機能拡張用の基板部材との間に安定した電気的導通を確保して十分なＥＭＩ対策を取りながらも、パネル板の塗装工程の容易化が図れ、かつ、ケースの外観を良好にすることができる。
【０００８】
また、上記の基板部材の取付構造では、サブパネル（４１）に設けた基板挿入部（４２）は、複数個を互いに隣接して配置するようにし、該サブパネル（４１）の外面（４１ａ）における一の基板挿入部（４２）と他の基板挿入部（４２）との間の部分に、装飾が施された装飾面（４３）を設け、該装飾面（４３）以外の部分は、無装飾の電気的導通部（４４）とするとよい。これによれば、サブパネルの装飾面により、隣接する取付板の隙間からケースの外観に露出する無装飾部分を少なく抑えることができ、ケースの外観を良好にできる。その一方で、サブパネルの無装飾部分である電気的導通部により、基板部材のＥＭＩ対策を十分に行うことが可能となる。
【０００９】
また、上記の基板部材の取付構造では、サブパネル（４１）の外面（４１ａ）は、ケース（１０）のパネル板（３３）の外面（３３ａ）に対して、開口部（３８）内で該パネル板（３３）の厚み分だけ窪んだ位置に配されるようにし、サブパネル（４１）に固定した取付板（６５）の外面（６５ａ）とパネル板（３３）の外面（３３ａ）とが連続する一平面上に配置されるようにするとよい。これによれば、パネル板の開口部と取付板との隙間において、サブパネルの外面が奥側に窪んだ位置に配されるため、サブパネルの無装飾の箇所がケースの外観上、目立たずに済むようになる。また、取付板の外面とパネル板の外面とが連続する一平面上に配置されることで、パネル板の外観が良好になる。したがって、基板部材の十分なＥＭＩ対策を可能としながらも、ケースの外観を良好にすることができる。
【００１０】
また、上記の基板部材の取付構造では、ケース（１０）の内部には、基板挿入部（４２）に挿入された基板本体（６１）を収容する基板収容部（５０）を設け、該基板収容部（５０）は、導電性のシールド部材（５２，５３）で形成された枠体（５１）を備えるようにしてよい。これによれば、ケース内に設置する基板本体が枠体によって囲まれた状態になるので、基板部材のＥＭＩ対策の効果をより向上させることができる。
【００１１】
また、この場合、基板収容部（５０）が備える枠体（５１）には、基板本体（６１）をガイドするためのガイド部（５２ａ，５３ａ）を設けるとよい。これによれば、基板収納部への基板本体の出し入れが行い易くなる。したがって、電気機器のケースへの基板部材の取り付け及び取り外しが簡単に行えるようになる。また、この場合、ガイド部（５２ａ，５３ａ）は、基板本体（６１）の縁部（６１ａ）をガイドする構成とし、ガイド部（５２ａ，５３ａ）と基板本体（６１）の縁部（６１ａ）との接触箇所を介して基板収容部（５０）と基板部材（６０）との電気的導通を確保するとよい。これによれば、簡単な構成で基板部材のＥＭＩ対策をより確実に行うことができるようになる。上記のガイド部は、一例として、枠体の内側に突出する一対の突起部の隙間に形成された溝部とすることができる。
なお、上記の括弧内の符号は、後述する実施形態の対応する構成要素の符号を本発明の一例として示したものである。
【発明の効果】
【００１２】
本発明にかかる電気機器への基板部材の取付構造によれば、電気機器のケースに取り付ける機能拡張用の基板部材のＥＭＩ対策を効果的に行いながらも、パネル板の塗装工程の容易化が図れ、かつ、ケースの外観を良好にすることができる。
【発明を実施するための最良の形態】
【００１３】
以下、添付の図面を参照して本発明の実施形態を詳細に説明する。図１は、本発明の一実施形態にかかる機能拡張用の基板部材（以下、「拡張ボード」と称す。）の取付構造を適用したミキサー装置（電気機器）１が備えるケース１０の外観構成を示す図で、（ａ）は、斜視図、（ｂ）は、背面図である。また、図２は、ケース１０の内部構造を示す部分拡大斜視断面図である。なお、以下の説明では、ミキサー装置１の操作者側を手前側あるいは前側、その反対側を後側という。また、ミキサー装置１の手前側からみた両側を左右あるいは横方向という。また、各部品における方向を示す場合は、各部品をミキサー装置１に取り付けた状態での方向で示す。
【００１４】
ミキサー装置１のケース１０は、ディスプレイ１１及び複数の操作子１２を配した上面部２０と、上面部２０の下方に配置された底面部２５と、上面部２０と底面部２５との間の側面を囲む側面部３０とで函型に形成されている。上面部２０は、ケース１０の手前側に配置されて多数の操作子１２を配列した平面状の操作パネル２１と、該操作パネル２１の後端辺２１ａに連接された境界部２２と、ディスプレイ１１を含み境界部２２から後方上側に向かって斜めに立設された傾斜平面状の表示パネル２３とからなる。操作パネル２１は、その面が底面部２５と平行に配置されている。境界部２２は、操作パネル２１の後端辺２１ａに沿ってケース１０の横方向に直線状に延びている。上面部２０は、境界部２２を挟んで操作パネル２１と表示パネル２３とが鈍角のＶ字型、すなわち逆へ字型を成した形状になっている。したがって、ケース１０の底面部２５を水平面に設置した状態で、操作パネル２１が水平面となり、表示パネル２３が水平面から後方斜め上側に所定角度（図では約４５度）に立設された状態となる。
【００１５】
また、側面部３０は、左右の側壁を構成する横パネル３１と、手前側の側壁を構成する前パネル３２と、後側の側壁を構成する背面パネル（パネル板）３３とを備えている。背面パネル３３は、金属製の平板状部材からなる。また、図１（ａ）に示すように、横パネル３１の外側には、横カバー３４が取り付けられており、前パネル３２の手前側には、前カバー３５が取り付けられている。横カバー３４は、横パネル３１の外形に沿う形状を有しており、その上面がケース１０の上面部２０に沿う逆へ字型になっており、下面側には、手で把持するための凹形状の把持部３４ａが形成されている。また、前カバー３５は、その上面が上面部２０の前端から略水平に延びており、下面側には、凹形状の把持部（図示せず）が形成されている。横カバー３４と前カバー３５は、図示しないボルトなどの締結具でケース１０の外面に固定されている。
【００１６】
また、図１及び図２に示すように、上面部２０の表示パネル２３より後側の部分、すなわちケース１０の後端上部には、横断面が略三角形状の上カバー２８が取り付けられている。上カバー２８は取り外しが可能であり、該上カバー２８の下側には、底面部２５と略平行な平面状の小物載置面２９が設けられている。すなわち、上カバー２８は、小物載置面２９に図示しないボルトなどで固定されるが、上カバー２８を取り外せば、小物載置面２９にキーボードやマウスなどの小型物品（図示せず）を置くことができる。また、図１（ａ）に示すように、小物載置面２９には、キーボードやマウスなどの機器を接続するためのＵＳＢ端子などからなる端子部２９ａが設置されている。上カバー２８には、端子部２９ａに対応する開口部２８ａが形成されており、上カバー２８を取り付けた状態で、開口部２８ａから端子部２９ａが露出するようになっている。
【００１７】
図２に示すように、ケース１０の内部には、操作パネル２１と底面部２５との間に区成された前収納部１６と、表示パネル２３と底面部２５との間に区成された後収納部１７とが設けられている。
【００１８】
前収納部１６には、操作パネル２１の下面に取り付けた操作子基板１２ａのほか、底面部２５に設置した薄型の小基板１３などの電子部品が配置されている。後収納部１７は、前収納部１６よりも内部の高さが高く、容積が大きくなっている。前収納部１６と後収納部１７の間は、境界部２２の下側に配置された板状の仕切部材１９で仕切られているが、前収納部１６と後収納部１７は、仕切部材１９に形成した開口部１９ａで連通している。
【００１９】
そして、図１（ｂ）及び図２に示すように、後収納部１６には、拡張ボード６０を装着するための拡張ボード装着部４０が設けられている。拡張ボード装着部４０は、背面パネル３３に形成した貫通孔からなる複数の基板挿入部４２と、該複数の基板挿入部４２に対応して後収納部１７に設置されたかご状の枠体５１からなる基板収容部５０とを備えて構成されている。
【００２０】
また、図１（ｂ）に示すように、背面パネル３３には、基板挿入部４２（拡張ボード装着部４０）のほか、ケース１０の内部の通気を行うための通気孔３６や電源ケーブル（図示せず）を接続するための接続端子部３７が配列されている。通気孔３６は、背面パネル３３の上部において左右方向に並べて複数個（図では３個）が設置されている。基板挿入部４２は、背面パネル３３における下部の一端近傍に配置されている。
【００２１】
また、図２に示すように、後収納部１７内の基板収容部５０の上方には、送風ファン１８が設置されている。送風ファン１８は、背面パネル３３の内面３３ｂに取り付けられている。送風ファン１８に対向する背面パネル３３には、通気孔３６が形成されている。送風ファン１８及び通気孔３６により、前収納部１６及び後収納部１７に空気流が形成されるようになっている。
【００２２】
拡張ボード装着部４０に取り付ける拡張ボード６０は、図２に示すように、平板状の基板本体６１と、該基板本体６１の先端に設けたケース１０内の回路基板（電気部品）５４に接続される接続端子部６２と、基板本体６１の基端に固着された取付板６５とを備えて構成されている。図３は、拡張ボード６０の詳細構成を示す図で、（ａ）は、斜視図、（ｂ）は、平面図、（ｃ）は、正面図、（ｄ）は、側面図である。
【００２３】
拡張ボード６０の基板本体６１は、略長方形の外形を有する平板状の部材で、詳細な図示は省略するが、その表裏面には、各種電子部品や配線などが実装されている。基板本体６１の幅方向の両端辺（上下端辺）６１ａには、一定幅の電気的導通部６３が形成されている。電気的導通部６３は、金属面が露出した無塗装部分あるいは導電塗料などの塗布面からなる。また、接続端子部６２は、後述するように、拡張ボード６０の基板本体６１が背面パネル３３の基板挿入部４２に差し込まれて装着される際、枠体５１内に設けた図示しない接続端子に接続されるようになっている。
【００２４】
取付板６５は、略長方形状に形成された金属製の平板状部材で、基板本体６１の基端にその面が直交した状態で固着されている。取付板６５は、その外形が後述するサブパネル４１の基板挿入部４２よりも一回り大きく、且つ、長手方向が後述する背面パネル３３の開口部３８の短手方向よりも若干小さい（短い）寸法に形成されている。また、背面パネル３３の厚み寸法と等しい厚み寸法を有している。
【００２５】
また、取付板６５の長手方向の両端部には、取付板６５をサブパネル４１に固定するためのネジ６６が挿通されている。ネジ６６は、取付板６５とサブパネル４１が重なる部分を締結固定するようになっている。また、本実施形態の拡張ボード６０は、ミキサー装置１に外部機器を接続するための端子増設用の拡張ボードである。したがって、取付板６５には、外部機器を接続するための端子部６７が設けられている。端子部６７は、基板本体６１に形成した配線等を介して接続端子部６２と電気的に接続されており、接続端子部６２を介してケース１０内の電気部品に接続されるようになっている。なお、図３以外の図では、端子部６７の図示を省略している。
【００２６】
図４及び図５は、背面パネル３３の基板挿入部４２及びその周辺の詳細構成を示す図で、図４（ａ）は、ケース１０の外側から見た背面パネル３３の外面３３ａ（筐体１０の外側の面）を示す側面図、図４（ｂ）は、ケース１０の内側から見た背面パネル３３の内面３３ｂ（筐体１０の内側の面）を示す側面図である。また、図５は、図４（ａ）のＡ−Ａ部分の断面図である。なお、図４では、背面パネル３３の内面３３ｂ側に設置した基板収容部５０の図示は省略している。また、拡張ボード６０の取付板６５以外の部分（基板本体６１など）も図示を省略している。
【００２７】
図４に示すように、背面パネル３３には、横長の長方形状で大型の開口部３８が形成されている。背面パネル３３の内面３３ｂにおける開口部３８に対応する位置には、サブパネル４１が取り付けられている。サブパネル４１は、背面パネル３３の開口部３８よりも一回り大きな外形を有する略長方形状の金属製の板状部材で、締結手段であるネジ４５によって背面パネル３３の内面３３ｂに密着状態で固定されている。サブパネル４１には、縦方向を長手方向とする長方形状の貫通孔からなる基板挿入部４２が形成されている。基板挿入部４２は、サブパネル４１の長手方向（横方向）に沿って複数個（図では８個）が等間隔で並設されており、各基板挿入部４２の隙間のサブパネル４１は、縦方向に延びる直線帯状の縦枠４１ｃになっている。また、サブパネル４１における各基板挿入部４２の上端及び下端の近傍にはそれぞれ、拡張ボード６０の取付板６５を締結固定するためのネジ６６を挿通するネジ挿通孔４１ｄが形成されている。
【００２８】
背面パネル３３の外面３３ａは、ケース１０の外装の一部を構成する部分であるため、装飾性を有する塗装が施されている。この塗装は、背面パネル３３の外面３３ａの全体に施されることが可能であり、開口部３８の縁部も塗装されていて良い。また、拡張ボード６０の取付板６５の外面６５ａは、背面パネル３３の外面３３ａと共にケース１０の外装面の一部を成すため、背面パネル３３の外面３３ａと共通の塗装が施されている。
【００２９】
一方、サブパネル４１の外面４１ａは、隣接する基板挿入部４２，４２の間に位置する縦枠４１ｃのみ塗装が施された塗装面（装飾面）４３になっており、それ以外の部分、すなわち、各基板挿入部４２の上下の部分及び両端の基板挿入部４２の外側の部分ＴＰは、塗装が施されておらず、当該部分ＴＰは、金属材料の表面が露出した電気的導通部４４になっている。そして、拡張ボード６０の取付板６５は、その内面６５ｂが開口部３８に露出するサブパネル４１の外面（基板挿入部４２の周囲の外面）４１ａに密着状態で装着される。したがって、取付板６５の内面６５ｂは、サブパネル４１の外面４１ａに設けた電気的導通部４４に接触させる面であるので、金属表面を露出させた無塗装の面になっている。
【００３０】
背面パネル３３に形成した開口部３８の短手方向（縦方向）の寸法は、サブパネル４１に形成した基板挿入部４２の長手方向（縦方向）の寸法よりも若干大きくなっている。また、背面パネル３３の開口部３８の長手方向（横方向）の寸法は、サブパネル４１に形成した複数の基板挿入部４２を合わせた全体の幅寸法よりも若干大きくなっている。したがって、図４（ａ）に示すように、サブパネル４１における基板挿入部４２の周囲の外面４１ａが、背面パネル３３の開口部３８からケース１０の外面側に露出している。
【００３１】
一方、図２に示すように、基板収容部５０の枠体５１は、略直方体状のかご型に形成されている。枠体５１は、背面パネル３３に設けた基板挿入部４２の上端と下端それぞれに対応して配置された上板５２及び下板５３と、上板５２及び下板５３の間の側面を覆う側板（図示せず）とを備えている。上板５２及び下板５３は、金属製の網状の平板部材あるいは多数の貫通孔を有する板材（導電性のシールド部材）からなり、その面が背面パネル３３の内面３３ｂから後収納部１７の手前方向に延びている。枠体５１の奥行寸法は、基板本体６１の長手方向の寸法と略等しくなっている。また、上板５２及び下板５３の後端には、拡張ボード６０のネジ６６を締結固定するためのネジ孔（ネジ締結部）５５が設けられている。さらに、枠体５１の手前側の側面には、略平板状の回路基板５４が取り付けられている。また、図示は省略するが、枠体５１内を向く回路基板５４の側面には、基板本体６１の接続端子部６２を接続させる接続端子が設けられている。
【００３２】
また、上板５２及び下板５３には、枠体５１内に収容される拡張ボード６０の基板本体６１の上下端辺６１ａ，６１ａをそれぞれガイドするガイド溝（ガイド部）５２ａ，５３ａが形成されている。ガイド溝５２ａ，５３ａは、基板本体６１の移動方向（ケース１０の前後方向）に延びる細長い小片状の一対の突起を備え、該一対の突起の内側に設けたスリット状の隙間で基板本体６１の上下端辺６１ａ，６１ａを案内するもので、基板本体６１の枠体５１への出し入れをガイドするようになっている。ガイド溝５２ａ，５３ａは、金属面が露出した状態になっている。したがって、ガイド溝５２ａ，５３ａと基板本体６１の上下端辺６１ａに設けた電気的導通部６３との接触箇所を介して、基板収容部５０と拡張ボード６０との電気的導通が確保されるようになっている。
【００３３】
なお、図４では、サブパネル４１に設けた複数の基板挿入部４２の一部のみに拡張ボード６０を装着し、残りの基板挿入部４２には何も装着していない状態を示しているが、実際は、複数の基板挿入部４２のいずれかのみに拡張ボード６０を装着する場合、拡張ボード６０を装着しない基板挿入部４２には、平板状のカバー部材７０（ダミーパネル）を装着する。カバー部材７０は、拡張ボード６０が備える基板本体６１に相当する部分を有しておらず、サブパネル４１の外面４１ａに密着固定される取付板６５に相当する部分のみを有している。カバー部材７０は、拡張ボード装着部４０に取り付けた状態で、ケース１０の外観上、拡張ボード６０との区別が付かないようになっている。各基板挿入部４２には、拡張ボード６０又はカバー部材７０のいずれかを装着しておき、ミキサー装置１の通常使用時は、すべての基板挿入部４２が塞がれた状態にしておく。
【００３４】
次に、拡張ボード装着部４０に拡張ボード６０を装着する手順について説明する。拡張ボード６０を装着するには、まず、図２に示すように、あらかじめ開口部３８に固定されているサブパネル４１の基板挿入部４２に、拡張ボード６０の基板本体６１を挿入し、該基板本体６１を基板収容部５０の枠体５１内に収容する。このとき、基板本体６１は、その面を垂直にした状態で、上下端辺６１ａ，６１ａがガイド溝５２ａ，５３ａによってガイドされながら枠体５１内を移動して収容される。そして、基板本体６１が枠体５１内に完全に収容されたとき、基板本体６１の先端の接続端子部６２が枠体５１の接続端子に接続されると共に、図５に示すように、取付板６５の内面６５ｂがサブパネル４１の外面４１ａに密着する。この状態で、取付板６５のネジ６６をサブパネル４１のネジ挿通孔４１ｄに挿通させ、サブパネル４１の内面４１ｂ側に突出したネジ６６をケース１０内の上板５２及び下板５３に設けたネジ孔５５に締結固定する。これにより、取付板６５がサブパネル４１における基板挿入部４２の周囲の外面４１ａに密着固定されて、拡張ボード装着部４０への拡張ボード６０の取り付けが完了する。
【００３５】
上記手順によって拡張ボード装着部４０に拡張ボード６０を取り付けた状態で、図４に示すように、サブパネル４１の外面４１ａに密着固定された拡張ボード６０の取付板６５が、背面パネル３３の開口部３８内に配置される。この状態で、取付板６５の上下端辺と開口部３８の上下端辺との間には、僅かな寸法の隙間Ｓ１が形成されており、該隙間Ｓ１からサブパネル４１の外面４１ａに設けた電気的導通部４４が露出している。また、互いに隣接して設置した取付板６５同士の間にも、僅かな寸法の隙間Ｓ２が形成されており、該隙間Ｓ２からサブパネル４１の縦枠４１ｃの外面に設けた塗装面４３が露出している。
【００３６】
また、図５に示すように、開口部３８の底面であるサブパネル４１の外面４１ａは、背面パネル３３の外面３３ａに対して該背面パネル３３の厚み分だけ窪んだ位置に配置されている。また、背面パネル３３に拡張ボード６０が装着された状態で、サブパネル４１に固定した取付板６５の外面６５ａと背面パネル３３の外面３３ａとが連続する一平面上に配置された状態（取付板６５の外面６５ａと背面パネル３３の外面３３ａとが一致した状態）になる。
【００３７】
以上説明したように、本実施形態の拡張ボード６０の取付構造によれば、ミキサー装置１が備えるケース１０の背面パネル３３に設けた開口部３８と、開口部３８に対応する背面パネル３３の内面３３ｂに取り付けたサブパネル４１と、サブパネル４１に設けた基板挿入部４２と、基板挿入部４２の周囲の外面４１ａに形成した電気的導通部４４とを備え、拡張ボード６０の基板本体６１をサブパネル４１の基板挿入部４２に挿入し、取付板６５の内面６５ｂを開口部３８に露出するサブパネル４１の電気的導通部４４に密着させて固定するように構成した。したがって、背面パネル３３とは別体のサブパネル４１により、ケース１０と拡張ボード６０との電気的導通を確保できる。そして、無塗装の電気的導通部４４をサブパネル４１に設けているため、背面パネル３３の塗装において、該背面パネル３３のマスキングが不要となり、背面パネル３３の外面３３ａの全体に塗装を施すことが可能となる。これにより、背面パネル３３の塗装における高い精度が不要となるので、背面パネル３３の塗装工程の容易化を図ることができる。また、従来の拡張ボード６０の取付構造のように、背面パネル３３の無塗装部分が拡張ボード６０の取付板６５の外形からはみ出すことが無くなるので、ミキサー装置１の外観を良好にできる。したがって、ミキサー装置１のケース１０が備える背面パネル３３と拡張ボード６０との間に安定した電気的導通を確保して、拡張ボード６０の十分なＥＭＩ対策を取りながらも、背面パネル３３の塗装工程の容易化が図れ、かつ、ケース１０の外観を良好にすることができる。
【００３８】
また、本実施形態の拡張ボード６０の取付構造では、サブパネル４１に設けた基板挿入部４２は、複数個が互いに隣接して配列されており、サブパネル４１の外面４１ａにおける基板挿入部４２の間の部分を塗装面４３とし、該塗装面４３以外の部分は、無塗装の電気的導通部４４としている。したがって、塗装面４３によって、ケース１０の外観に露出するサブパネル４１の無塗装部分を少なく抑えることができ、ケース１０の外観を良好にできる。その一方で、サブパネル４１の無塗装部分である電気的導通部４４により、拡張ボード６０のＥＭＩ対策を十分に行うことが可能となる。特に本実施形態では、ケース１０の外観上、比較的目立ち易い取付板６５の長手方向の隙間Ｓ２に露出するサブパネル４１（縦枠４１ｃ）の外面４１ａを塗装面４３とし、その他の部分を無塗装の電気的導通部４４としたことで、塗装工程の容易化を図りながら、ケース１０の外観を良好にすることが可能となる。
【００３９】
また、本実施形態の取付構造では、サブパネル４１の外面４１ａが、開口部３８の内周と取付板６５の外周との隙間Ｓ１，Ｓ２において、背面パネル３３の厚み分だけ奥側に窪んだ位置に配されている。したがって、サブパネル４１の外面４１ａにおける無塗装の箇所（電気的導通部４４）がケース１０の外観上目立たずに済むので、ミキサー装置１の良好な外観に影響を与えずに済むようになる。また、サブパネル４１に固定した取付板６５の外面６５ａと背面パネル３３の外面３３ａとがほぼ連続する一平面上に配置されている。すなわち、取付板６５の外面６５ａと背面パネル３３の外面３３ａとが面一状態を形成することができる。これにより、取付板６５の外面６５ａと背面パネル３３の外面３３ａとが一体の面であるように見える効果を有するので、取付板６５が目立たなくなり、筐体１０の外観がさらに良好になる。
【００４０】
また、本実施形態では、基板収容部５０が備える枠体５１に、拡張ボード６０の基板本体６１の上下端辺６１ａ，６１ａをガイドするためのガイド溝５２ａ，５３ａを形成している。これにより、枠体５１への基板本体６１の出し入れが行い易くなる。したがって、ミキサー装置１への拡張ボード６０の取り付け及び取り外しが簡単に行える。また、基板収容部５０のガイド溝５２ａ，５３ａと基板本体６１の電気的導通部６３との接触箇所を介して基板収容部５０と拡張ボード６０との電気的導通を確保しているので、簡単な構成で、ＥＭＩ対策の効果をさらに向上させることができる。
【００４１】
以上本発明の実施形態を説明したが、本発明は上記実施形態に限定されるものではなく、特許請求の範囲、及び明細書と図面に記載された技術的思想の範囲内において種々の変形が可能である。例えば、サブパネル４１の塗装面４３は必ずしも設けなくてよい。すなわち、サブパネル４１に塗装面４３を設けない場合は、サブパネル４１の外面４１ａの全体を無塗装の電気的導通部４４とすればよい。また、上記実施形態では、背面パネル３３や取付板６５、あるいはサブパネル４３に対する装飾の一例として、塗装による装飾を示したが、それ以外にも、例えば、装飾性を有するシールの貼付などで表面を装飾することも可能である。
【００４２】
また、上記実施形態に示す拡張ボード６０の具体的な構成は一例であり、拡張ボード６０は、上記以外の構成とすることも可能である。また、拡張ボード装着部４０に装着する拡張ボード６０の個数や具体的な配置は、上記実施形態に示すものには限られず、他の個数や配置としてもよい。
【００４３】
また、上記実施形態では、本発明にかかる機能拡張用の基板部材の取付構造をミキサー装置に適用した場合を示したが、本発明にかかる取付構造は、ミキサー装置を含む音響調節機器をはじめとする各種の電気機器に適用が可能である。したがって、ミキサー装置以外にも、例えば、据置型のパーソナルコンピュータやサーバー装置が備えるケースなどにも適用が可能である。
【図面の簡単な説明】
【００４４】
【図１】本発明の一実施形態にかかる拡張ボードの取付構造を適用したミキサー装置の外観構成を示す図で、（ａ）は、斜視図、（ｂ）は、背面図である。
【図２】ケースの内部構造を示す部分拡大斜視断面図である。
【図３】拡張ボードの構成例を示す図で、（ａ）は、斜視図、（ｂ）は、側面図、（ｃ）は、平面図、（ｄ）は、背面図である。
【図４】背面パネルの基板挿入部及びその周辺の詳細構成を示す図で、（ａ）は、背面パネルを外面側から見た側面図、（ｂ）は、背面パネルを内面側から見た側面図である。
【図５】図４（ａ）のＡ−Ａ部分の断面図である。
【符号の説明】
【００４５】
１  ミキサー装置（電気機器）
１０  ケース
３３  背面パネル（パネル板）
３３ａ  外面
３３ｂ  内面
３８  開口部
４０  拡張ボード装着部
４１  サブパネル
４１ａ  外面
４２  基板挿入部
４３  塗装面（装飾面）
４４  電気的導通部
５０  基板収容部
５１  枠体
５２  上板
５３  下板
５２ａ，５３ａ  ガイド溝（ガイド部）
５４  回路基板（電気部品）
６０  拡張ボード（機能拡張用の基板部材）
６１  基板本体
６１ａ  上下端辺
６２  接続端子部
６３  電気的導通部
６５  取付板
６５ａ  外面
６５ｂ  内面
６６  ネジ
７０  カバー部材（ダミーパネル）
【図１】
2010186948.tif 000003
【図２】
2010186948.tif 000004
【図３】
2010186948.tif 000005
【図４】
2010186948.tif 000006
【図５】
2010186948.tif 000007